(57)【要約】      （修正有）【課題】減速機構を追加する必要がなく、コストが大幅に削減されるローラーブラシアセンブリを提供する。【解決手段】ベース２と、ローラーブラシアセンブリ３と、ローラーブラシ駆動機構４と、カバープレート５と、フロアブラシジョイント６と、を順次接続して構成するフロアブラシアセンブリであって、ローラーブラシアセンブリ３は、第一ローラーブラシ３２と、第二ローラーブラシ３３を含み、ローラーブラシ駆動機構４は、ローラーブラシモーター４１と、駆動ギア４２と、被駆動ギア４３と、第一駆動ホイール４４と、第二駆動ホイール４５と、を含み、駆動ギア４２は、ベルトを回転させることで第一ローラーブラシ３２に接続される第一駆動ホイール４４を駆動し、被駆動ギア４３は駆動ギア４２と噛み合い、第二ローラーブラシ３３に接続される第二駆動ホイール４５はベルトで駆動される。【選択図】図２
0003231715.tif 000002
【実用新案登録請求の範囲】
【請求項１】
ベースと、ローラーブラシアセンブリと、ローラーブラシ駆動機構と、カバープレートと、フロアブラシジョイントと、を順次接続して構成するフロアブラシアセンブリであって、
前記ローラーブラシアセンブリは、ローラーブラシエンドカバーと、第一ローラーブラシと、第二ローラーブラシを含み、
前記ローラーブラシエンドカバーはベースに配置され、
前記第一ローラーブラシおよび前記第二ローラーブラシは前後に水平に前記ローラーブラシエンドカバーに配置され、
前記ベースは前記第一ローラーブラシと前記第二ローラーブラシの間に配置されることでダスト吸引ポートとなり、
前記ダスト吸引ポートは外部真空ユニットと接続され、
前記ローラーブラシ駆動機構は、前記ローラーブラシエンドカバーから離れた側に配置され、ローラーブラシモーターと、駆動ギアと、被駆動ギアと、第一駆動ホイールと、第二駆動ホイールと、を含み、
前記駆動ギアは前記ローラーブラシモーターの出力シャフトに配置され、ベルトを回転させることで前記第一ローラーブラシに接続される前記第一駆動ホイールを駆動し、前記被駆動ギアは前記駆動ギアと噛み合い、
前記第二ローラーブラシに接続される第二駆動ホイールはベルトで駆動され、前記第一ローラーブラシと反対方向に回転するフロアブラシアセンブリ。
【請求項２】
前記駆動ギアと、前記被駆動ギアと、は同じ数の歯を有し、
前記第一駆動ホイールと、前記第二駆動ホイールと、は同じ直径を有する請求項1に記載のフロアブラシアセンブリ。
【請求項３】
前記駆動ギアと、前記被駆動ギアと、は上下に配置されている請求項１に記載のフロアブラシアセンブリ。
【請求項４】
前記ローラーブラシ駆動機構の外側に駆動エンドカバーが配置され、
前記駆動エンドカバーの形状が前記ローラーブラシエンドカバーに対応する請求項１に記載のフロアブラシアセンブリ。
【請求項５】
前記ベースは、前記第一ローラーブラシと、前記第二ローラーブラシに、それぞれ対応する第一ローラーブラシカバーと、第二ローラーブラシカバーによって形成され、
前記カバープレートは、前記第一ローラーブラシカバーと、前記第二ローラーブラシカバーと、の間に位置し、前記ローラーブラシエンドカバーと前記ベースを囲んで空洞を形成し、前記ローラーブラシエンドカバーの上端に設置されるカバーボタンを介して前記ローラーブラシエンドカバーに接続される請求項1に記載のフロアブラシアセンブリ。
【請求項６】
前記カバープレートは、前記ダスト吸引ポートに対応する開口を備え、前記開口の両端には接続位置を対称的に備え、
前記接続位置の内側には回転軸穴が設けられ、
前記フロアブラシジョイントの両側には前記回転軸穴に対応する回転軸が設けられる請求項１に記載のフロアブラシアセンブリ。
【考案の詳細な説明】
【技術分野】
【０００１】
本考案は、グラウンドクリーニング技術に関し、特にグラウンドブラシアセンブリに関連する。
【背景技術】
【０００２】
フロアブラシは一般的にフロアクリーニングに使用される。たとえば、延長チューブを介してハンドクリーナーに接続した後、ユーザーがハンドクリーナーを介してフロアブラシアセンブリに電力を供給することで、ローラーブラシが回転駆動して床をクリーニングできる。
【０００３】
市販のダブルローラーブラシ構造や、特許文献1に記載のフロアブラシアセンブリは、2つのローラーブラシの間に空気入口チャネルが形成され、2つのローラーブラシの回転方向は空気入口チャネルに向かっている。これには、正転と逆回転を実現するために2つのモーターで2つのローラーブラシを別々に駆動するので、コストが比較的高くなる。1つのモーターを使用すると、出力端に接続する駆動機構が非常に複雑になり、コストも高くなり、グラウンドブラシ全体の体積が比較的大きくなり、操作が不便になる。
【先行技術文献】
【特許文献】
【０００４】
【特許文献１】特表２０１０−５２６５９４号公報
【考案の概要】
【考案が解決しようとする課題】
【０００５】
目的は、背景技術で提起された問題を解決するフロアブラシアセンブリを提供することである。
【課題を解決するための手段】
【０００６】
上記の目的を実現するために、本考案は次の技術を提供する。
【０００７】
ベースと、ローラーブラシアセンブリと、ローラーブラシ駆動機構と、カバープレートと、フロアブラシジョイントと、を順次接続して構成するフロアブラシアセンブリであって、前記ローラーブラシアセンブリは、ローラーブラシエンドカバーと、第一ローラーブラシと、第二ローラーブラシを含み、前記ローラーブラシエンドカバーはベースに配置され、前記第一ローラーブラシおよび前記第二ローラーブラシは前後に水平に前記ローラーブラシエンドカバーに配置され、前記ベースは前記第一ローラーブラシと前記第二ローラーブラシの間に配置されることでダスト吸引ポートとなり、前記ダスト吸引ポートは外部真空ユニットと接続され、前記ローラーブラシ駆動機構は、前記ローラーブラシエンドカバーから離れた側に配置され、ローラーブラシモーターと、駆動ギアと、被駆動ギアと、第一駆動ホイールと、第二駆動ホイールと、を含み、前記駆動ギアは前記ローラーブラシモーターの出力シャフトに配置され、ベルトを回転させることで第一ローラーブラシに接続される前記第一駆動ホイールを駆動し、前記被駆動ギアは前記駆動ギアと噛み合い、前記第二ローラーブラシに接続される第二駆動ホイールはベルトで駆動され、第一ローラーブラシと反対方向に回転するフロアブラシアセンブリ。
【０００８】
本考案の好ましい形態では、前記駆動ギアと、前記被駆動ギアと、は同じ数の歯を有し、前記第一駆動ホイールと、前記第二駆動ホイールと、は同じ直径を有する。
【０００９】
本考案の好ましい形態では、前記駆動ギアと、前記被駆動ギアと、は上下に配置されている。
【００１０】
本考案の好ましい形態では、前記ローラーブラシ駆動機構の外側に駆動エンドカバーが配置され、前記駆動エンドカバーの形状がローラーブラシエンドカバーに対応する。
【００１１】
本考案の好ましい形態では、前記ベースは、前記第一ローラーブラシと、前記第二ローラーブラシに、それぞれ対応する第一ローラーブラシカバーと、第二ローラーブラシカバーによって形成され、前記カバープレートは、前記第一ローラーブラシカバーと、前記第二ローラーブラシカバーと、の間に位置し、前記ローラーブラシエンドカバーと前記ベースを囲んで空洞を形成し、前記ローラーブラシエンドカバーの上端に設置されるカバーボタンを介して前記ローラーブラシエンドカバーに接続される
【００１２】
本考案の好ましい形態では、前記カバープレートは、前記ダスト吸引ポートに対応する開口を備え、前記開口の両端には接続位置を対称的に備え、前記接続位置の内側には回転軸穴が設けられ、前記フロアブラシジョイントの両側には前記回転軸穴に対応する回転軸が設けられる。
【考案の効果】
【００１３】
上記の構成によって、本考案は、駆動ギアと被駆動ギアは逆方向に回転して、駆動ギアと被駆動ギアはそれぞれ第一ローラーブラシと第二ローラーブラシをベルトで同じ側に回転させるため、減速機構を追加する必要がなく、大幅なコストダウンを実現する。コンパクトで良好な市場見通しである。
【図面の簡単な説明】
【００１４】
【図１】本考案の実施形態に係る、立体図である。
【図２】本考案の実施形態に係る、展開図である。
【図３】本考案の実施形態に係る、ハンドクリーナーに接続された立体図である。
【考案を実施するための形態】
【００１５】
以下は、本考案の実施形態における技術的解決策を、本考案の実施形態における図面と併せて明確かつ完全に説明する。もちろん、記載された実施形態は、本考案の実施形態の一部にすぎず、すべての実施形態ではない。本考案の実施形態に基づいて、創造的な作業なしに当技術分野の通常の技術者によって得られた他のすべての実施形態は、本考案の保護範囲に含まれるものとする。
【００１６】
図１または２に示されているフロアブラシアセンブリ１には、ベース２、ローラーブラシアセンブリ３、ローラーブラシ駆動機構４、カバープレート５、フロアブラシジョイント６が順次接続されて設けられている。
【００１７】
ローラーブラシアセンブリ３は、ローラーブラシエンドカバー３１、第一ローラーブラシ３２および第二ローラーブラシ３３を含む。
【００１８】
ローラーブラシエンドカバー３１はベース２に固定される。ローラーブラシエンドカバー３１は接続シャフト（図には示されていない）に設けられる。
【００１９】
第一ローラーブラシ３２および第二ローラーブラシ３３は接続シャフトを介してローラーブラシエンドカバー３１に接続される。エアダクトの配置を便利するために、第一ローラーブラシ３２および第二ローラーブラシ３３は前後に水平に配置され、ベース２は、第一ローラーブラシ３２と第二ローラーブラシ３３の間に配置されてダスト吸引ポート２１とする。
【００２０】
ダスト吸引ポート２１は外部真空ユニット（図に示される）と接続する。外部真空ユニットはモーターまたはファンのような真空発生器である。ローラーブラシが回転するときにほこりを飛散することを防ぐために、この実施形態では、第一ローラーブラシ３２および第二ローラーブラシ３３と、が、第一ローラーブラシカバー２２および第二ローラーブラシカバー２３にそれぞれ対応するように形成されるベースである。
【００２１】
カバープレート５は、第一ローラーブラシカバー２２と第二ローラーブラシカバー２３の間に位置し、ローラーブラシエンドカバー３１とベース２と囲んで空洞を形成し、ローラーブラシエンドカバー３１の上端に設置されるカバーボタン３４に対応する開口５１が設けられ、カバーボタン３４およびローラーブラシエンドカバー３１を介してローラーブラシエンドカバー３１に接続される。
【００２２】
カバープレート５は、ダスト吸引ポート２１に対応する開口５１も揃える。ダスト吸引ポート２１と開口５１はシールリングを介して接続される。開口５１の両端には接続位置５３を対称的に備える。
【００２３】
接続位置５３の内側には回転軸穴５４が設けられる。フロアブラシジョイント６の両側は回転軸穴５４に対応する回転軸６１が設けられることで、フロアブラシジョイント６がカバープレート５に対して前後に回転できる。フロアブラシジョイント６の一端は開口５１、もう一方の一端にハンドクリーナーの本体または延長パイプに接続するための差込口６２を揃える。
【００２４】
ローラーブラシ駆動機構４は、ローラーブラシエンドカバー３１から離れた側に配置されている。ローラーブラシ駆動機構４は、ローラーブラシモーター４１、駆動ギア４２、被駆動ギア４３、第一駆動ホイール４４、第二駆動ホイール４５を含む。
【００２５】
駆動ギア４２は、ローラーブラシモーター４１の出力シャフト上にあり、ベルトを回転させることで第一駆動ホイール４４を駆動する。第一駆動ホイール４４は、第一ローラーブラシ３２に接続されて、第一ローラーブラシ３２を回転させる。被駆動ギア４３は、駆動ギア４２によって駆動され、ベルトの回転によって、第二駆動ホイール４５を駆動させ、第二駆動ホイール４５が回転することで、第二ローラーブラシ３３が回転する。これによって第二ローラーブラシ３３と第一ローラーブラシ３２は、反対方向に回転する。
【００２６】
好ましくは、第一ローラーブラシ３２および第二ローラーブラシ３３を同期回転させるために、駆動ギア４２および被駆動ギア４３の歯の数は同じであり、第一駆動ホイール４４および第二駆動ホイール４５の直径は同じである。構造をよりコンパクトにするために、駆動ギア４２と被駆動ギア４３を上下に配置する。サイズを考慮しない場合は、噛み合えるかつ干渉しないように左右に配置することも可能である。見た目を良くするために、駆動エンドカバー４６は、ローラーブラシ駆動機構４の外側に設けられ、駆動エンドカバー４６の形状がローラーブラシエンドカバー３１に対応する。
【００２７】
以下に、本考案の使用方法について記載する。
図３に示すように、フロアブラシアセンブリ１は延長チューブ７を介してハンドクリーナー８に接続される。ハンドクリーナー８の電源を入れた後、３つは導電性接続になる。ハンドクリーナー８の内部電源ユニットはローラーブラシモーター４１に電力を供給する。駆動ギア４２が回転して被駆動ギア４３を反対方向に回転する。
【００２８】
第一ローラーブラシ３２および第二ローラーブラシ３３がダスト吸引ポート２１に向かって回転し、２つの回転速度は同期している。第一ローラーブラシ３２、第二ローラーブラシ３３は、洗浄される表面と密閉状態にすることによってダスト吸引ポート２１の真空度を上げ、吸引力を増加させるのに有益である。フロアブラシが前後に移動するとき、２つのローラーブラシは常に埃をダスト吸引ポート２１へ運び続ける。シングルローラーブラシに比べて、作業面にほこりが残りにくく、洗浄効果も優れる。
【００２９】
本考案の実施形態が示され、説明されてきたが、当技術分野の通常の技術者にとって、本考案の原理および精神から逸脱することなく、これらの実施形態に対して様々な変更、修正、置換、および変形を行うことができると認識してもよい。本実用新案権の範囲は、実用新案登録請求の範囲およびそれらの同等物によって定義される。
【符号の説明】
【００３０】
１      フロアブラシアセンブリ
２      ベース
３      ローラーブラシアセンブリ
４      ローラーブラシ駆動機構
５      カバープレート
６      フロアブラシジョイント
２１    ダスト吸引ポート
３１    ローラーブラシエンドカバー
３２    第一ローラーブラシ
３３    第二ローラーブラシ
４１    ローラーブラシモーター
４２    駆動ギア
４３    被駆動ギア
４４    第一駆動ホイール
４５    第二駆動ホイール
【図１】
0003231715.tif 000003
【図２】
0003231715.tif 000004
【図３】
0003231715.tif 000005